(57)【要約】【課題】ＮＯｘ選択還元型触媒が非活性化領域となる低温時にも、排気ガスに含まれるＮＯｘの量を低減する。【解決手段】排気浄化装置を、内燃機関から生じた排気ガスの通路であって、第一排気通路および第二排気通路を有する排気通路と、第一排気通路に設けられ、排気ガス中の窒素酸化物を浄化処理するＮＯｘ選択還元型触媒と、第二排気通路に設けられ、排気ガス中の窒素酸化物を吸着するＮＯｘ吸着触媒と、排気ガスの温度が、ＮＯｘ吸着触媒に吸着されている窒素酸化物をＮＯｘ吸着触媒から脱離可能な温度以上であり、かつ、ＮＯｘ吸着触媒に窒素酸化物が吸着されている場合に、第二排気通路に排気ガスを流す流量調整部と、流量調整部を制御する制御部と、を備えるように構成する。【選択図】図１
2019190419.tif 000002
【特許請求の範囲】
【請求項１】
内燃機関から生じた排気ガスの通路であって、第一排気通路および第二排気通路を有する排気通路と、
前記第一排気通路に設けられ、前記排気ガス中の窒素酸化物を浄化処理するＮＯｘ選択還元型触媒と、
前記第二排気通路に設けられ、前記排気ガス中の窒素酸化物を吸着するＮＯｘ吸着触媒と、
前記排気ガスの温度が、前記ＮＯｘ吸着触媒に吸着されている前記窒素酸化物を前記ＮＯｘ吸着触媒から脱離可能な温度以上であり、かつ、前記ＮＯｘ吸着触媒に前記窒素酸化物が吸着されている場合に、前記第二排気通路に前記排気ガスを流す流量調整部と、
前記流量調整部を制御する制御部と、を備える、
排気浄化装置。
【請求項２】
前記第一排気通路と前記第二排気通路とは、並列である、請求項１に記載の排気浄化装置。
【請求項３】
前記流量調整部は、前記第一排気通路を流れる前記排気ガスの量、および、前記第二排気通路を流れる前記排気ガスの量を調整する、請求項１または２に記載の排気浄化装置。
【請求項４】
前記流量調整部は、前記排気ガスの温度が前記脱離可能な温度以上であり、かつ、前記ＮＯｘ吸着触媒に前記窒素酸化物が吸着されていない場合に、前記第二排気通路に前記排気ガスを流さない、請求項１〜３の何れか一項に記載の排気浄化装置。
【請求項５】
前記流量調整部は、前記排気ガスを前記第二排気通路に流した後、前記排気ガスの温度が前記ＮＯｘ選択還元型触媒の活性温度以上の場合に、前記第一排気通路に前記排気ガスを流す、請求項１〜４の何れか一項に記載の排気浄化装置。
【請求項６】
前記流量調整部は、前記排気ガスの温度が、前記ＮＯｘ選択還元型触媒の活性温度以上、かつ、前記脱離可能な温度未満の場合に、前記第二排気通路に前記排気ガスを流さない、請求項１に記載の排気浄化装置。
【請求項７】
前記流量調整部は、前記排気ガスの温度が前記ＮＯｘ選択還元型触媒の活性温度未満、かつ、前記ＮＯｘ吸着触媒における前記窒素酸化物の吸着量が最大吸着量未満である場合に、前記第二排気通路に前記排気ガスを流す、請求項１〜６の何れか一項に記載の排気浄化装置。
【請求項８】
前記ＮＯｘ吸着触媒は、前記排気ガスの温度が、前記ＮＯｘ選択還元型触媒の活性温度未満の場合に、前記排気ガス中の窒素酸化物を吸着する、請求項１〜７の何れか一項に記載の排気浄化装置。
【請求項９】
前記ＮＯｘ吸着触媒よりも上流側に配置され、前記排気ガスの温度を上げる昇温部をさらに備え、
前記制御部は、前記排気ガスの温度が前記脱離可能な温度未満であり、かつ、前記ＮＯｘ吸着触媒における前記窒素酸化物の吸着量が最大吸着量である場合に、前記昇温部を制御し、前記排気ガスの温度を前記脱離可能な温度以上に上げ、前記脱離可能な温度以上の温度を有する前記排気ガスを、前記第二排気通路に流す、請求項１〜８の何れか一項に記載の排気浄化装置。
【請求項１０】
前記昇温部は、酸化触媒を有し、
前記制御部は、前記酸化触媒において酸化反応を生じさせることにより、前記酸化触媒から流出する前記排気ガスの温度を前記脱離可能な温度以上に上げる、請求項９に記載の排気浄化装置。
【請求項１１】
請求項１〜１０の何れか一項に記載の排気浄化装置を備える、
車両。
【発明の詳細な説明】
【技術分野】
【０００１】
本開示は、排気浄化装置および車両に関する。
【背景技術】
【０００２】
従来、内燃機関で生じた排気ガスに含まれる窒素酸化物（以下、「ＮＯｘ」という。）を還元処理するＮＯｘ選択還元型触媒を有する排気浄化装置が知られている（たとえば、特許文献１参照）。ＮＯｘ選択還元型触媒は、排気管内に供給された前駆体（たとえば、尿素水）から発生した還元剤（たとえば、アンモニア）を吸着し、吸着したアンモニアにより排気ガスに含まれるＮＯｘを還元する。
【先行技術文献】
【特許文献】
【０００３】
【特許文献１】特開２０１３−２４５６１６号公報
【発明の概要】
【発明が解決しようとする課題】
【０００４】
上述のような排気浄化装置の場合、ＮＯｘ選択還元型触媒は、非活性化領域となる低温時において、排気ガス中のＮＯｘを適切に還元処理できない場合がある。このため、ＮＯｘ選択還元型触媒が非活性化領域となる低温時にも、排気ガスに含まれるＮＯｘの量を低減できる構造が望まれている。
【０００５】
本開示の目的は、ＮＯｘ選択還元型触媒が非活性化領域となる低温時にも、排気ガスに含まれるＮＯｘの量を低減できる排気浄化装置および車両を提供することである。
【課題を解決するための手段】
【０００６】
本開示に係る排気浄化装置は、内燃機関から生じた排気ガスの通路であって、第一排気通路および第二排気通路を有する排気通路と、第一排気通路に設けられ、排気ガス中の窒素酸化物を浄化処理するＮＯｘ選択還元型触媒と、第二排気通路に設けられ、排気ガス中の窒素酸化物を吸着するＮＯｘ吸着触媒と、排気ガスの温度が、ＮＯｘ吸着触媒に吸着されている窒素酸化物をＮＯｘ吸着触媒から脱離可能な温度以上であり、かつ、ＮＯｘ吸着触媒に窒素酸化物が吸着されている場合に、第二排気通路に排気ガスを流す流量調整部と、流量調整部を制御する制御部と、を備える。
【０００７】
本開示に係る車両は、上述の排気浄化装置を備える。
【発明の効果】
【０００８】
本開示によれば、ＮＯｘ選択還元型触媒が非活性化領域となる低温時にも、排気ガスに含まれるＮＯｘの量を低減できる排気浄化装置および車両を提供することができる。
【図面の簡単な説明】
【０００９】
【図１】図１は、本開示の実施形態１に係る排気浄化装置が適用された内燃機関の排気系を示す概略構成図である。
【図２】図２は、排気浄化装置における浄化制御の動作例１を示すフローチャートである。
【図３】図３は、排気浄化装置における浄化制御の動作例２を示すフローチャートである。
【図４】図４は、本開示の実施形態２に係る排気浄化装置が適用された内燃機関の排気系を示す概略構成図である。
【図５】図５は、実施形態２に係る排気浄化装置における浄化制御の動作例を示すフローチャートである。
【図６】図６は、実施形態２に係る排気浄化装置が実行する強制再生処理を説明するためのフローチャートである。
【図７】図７は、本開示の実施形態３に係る排気浄化装置が適用された内燃機関の排気系を示す概略構成図である。
【発明を実施するための形態】
【００１０】
［実施形態１］
以下、本開示の実施形態１について、図１および図２を参照して詳細に説明する。図１は、実施形態１に係る排気浄化装置２が適用された内燃機関１の排気系を示す概略構成図である。
【００１１】
図１に示すように、内燃機関１は、たとえば、車両Ｖに搭載されるディーゼルエンジンである。このような内燃機関１は、排気ガスを大気中に導くための排気浄化装置２を有する。
【００１２】
排気浄化装置２は、図１に示されるように、排気通路３１、ＮＯｘ選択還元型触媒７２、およびＮＯｘ吸着触媒７４、および制御部８を備える。また、排気浄化装置２は、図１に示されるように、タービン４、流量調整部５、第一温度検出部６ａ、酸化触媒７１、第二温度検出部６ｂ、およびアンモニアスリップ触媒７３などを備えてもよい。
【００１３】
［排気管について］
排気通路３１は、内燃機関１から生じた排気ガスが流れる通路である。排気通路３１は、鉄系合金（たとえば、ステンレス）、アルミニウム合金などの耐熱性を有する金属材料からなる複数の管状部材により構成されている。このような排気通路３１は、主排気通路３２および第二排気通路３３を有する。
【００１４】
主排気通路３２は、排気ガスが流れる方向（以下、単に「排気方向」という。）の上流側から順に、第一管要素３２０、タービンケーシング３２１、第二管要素３２２、第一ケーシング３２３、第三管要素３２４、第二ケーシング３２５、第四管要素３２６、第三ケーシング３２７、および第五管要素３２８を有する。なお、排気ガスが流れる方向とは、図１中の矢印Ａ１ａ〜Ａ５ａの方向および矢印Ｂ１ａ〜Ｂ４ａの方向を意味する。
【００１５】
第一管要素３２０は、内燃機関１とタービン４との間に設けられている。具体的には、第一管要素３２０は、内燃機関１の排気マニホルド１ａと、タービンケーシング３２１とを接続している。
【００１６】
タービンケーシング３２１は、箱状部材であって、後述のタービン４のタービンインペラ４１を収容している。タービンケーシング３２１の上流側開口部（不図示）には、第一管要素３２０の下流側端部が接続されている。タービンケーシング３２１の下流側開口部（不図示）には、第二管要素３２２（具体的には、第二前側管要素３２２ａ）の上流側端部が接続されている。
【００１７】
第二管要素３２２は、タービンケーシング３２１と第一ケーシング３２３とを接続している。このような第二管要素３２２は、上流側から順に第二前側管要素３２２ａおよび第二後側管要素３２２ｂを有する。
【００１８】
第二前側管要素３２２ａと第二後側管要素３２２ｂとの間には、後述の流量調整部５が設けられている。
【００１９】
第二前側管要素３２２ａは、タービンケーシング３２１と流量調整部５とを接続している。第二後側管要素３２２ｂは、流量調整部５と第一ケーシング３２３とを接続している。
【００２０】
第一ケーシング３２３は、後述の酸化触媒７１を収容可能な第一収容部３２３ａを有する。また、第一ケーシング３２３は、上流側端部に上流側開口部（不図示）を、下流側端部に下流側開口部を、それぞれ有する。
【００２１】
第一ケーシング３２３の上流側開口部には、第二管要素３２２（具体的には、第二後側管要素３２２ｂ）の下流側端部が接続されている。第一ケーシング３２３の下流側開口部には、第三管要素３２４の上流側端部が接続されている。
【００２２】
第三管要素３２４は、第一ケーシング３２３と第二ケーシング３２５とを接続している。
【００２３】
第二ケーシング３２５は、後述のＮＯｘ選択還元型触媒７２を収容可能な第二収容部３２５ａを有する。また、第二ケーシング３２５は、上流側端部に上流側開口部（不図示）を、下流側端部に下流側開口部を、それぞれ有する。なお、第二ケーシング３２５は、第一ケーシング３２３と一体（つまり、一つのケーシング）であってもよい。この場合には、酸化触媒７１とＮＯｘ選択還元型触媒７２とは、一つのケーシング内に収容される。
【００２４】
第二ケーシング３２５の上流側開口部には、第三管要素３２４の下流側端部が接続されている。第二ケーシング３２５の下流側開口部には、第四管要素３２６の上流側端部が接続されている。
【００２５】
第四管要素３２６は、第二ケーシング３２５と第三ケーシング３２７とを接続している。
【００２６】
第三ケーシング３２７は、後述のアンモニアスリップ触媒７３を収容可能な第三収容部３２７ａを有する。第三ケーシング３２７は、上流側端部に上流側開口部（不図示）を、下流側端部に下流側開口部を、それぞれ有する。
【００２７】
第三ケーシング３２７の上流側開口部には、第四管要素３２６の下流側端部が接続されている。第三ケーシング３２７の下流側開口部には、第五管要素３２８の上流側端部が接続されている。なお、第三ケーシング３２７は、第二ケーシング３２５と一体（つまり、一つのケーシング）であってもよい。この場合には、ＮＯｘ選択還元型触媒７２とアンモニアスリップ触媒７３とは、一つのケーシング内に収容される。また、第一ケーシング３２３、第二ケーシング３２５、および第三ケーシング３２７は、一体（つまり、一つのケーシング）であってもよい。
【００２８】
第五管要素３２８は、第三ケーシング３２７と、たとえば、第三ケーシング３２７よりも下流側に設けられた他の排気浄化装置の構成要素（たとえば、酸化触媒）のケーシングとを接続している。
【００２９】
上述の第一管要素３２０、タービンケーシング３２１、および第二管要素３２２は、前側共通排気通路とも称される。また、第二管要素３２２（具体的には、第二前側管要素３２２ａ）、第一ケーシング３２３、第三管要素３２４、第二ケーシング３２５、第四管要素３２６、第三ケーシング３２７、および第五管要素３２８の一部は、第一排気通路３２０Ａを構成している。第一排気通路３２０Ａを流れる排気ガスは、図１において矢印Ａ１ａ〜矢印Ａ５ａの順に流れる。
【００３０】
第二排気通路３３は、上流側から順に、第一バイパス管要素３４、第四ケーシング３５、および第二バイパス管要素３６を有する。
【００３１】
第一バイパス管要素３４は、流量調整部５と第四ケーシング３５とを接続している。
【００３２】
第四ケーシング３５は、後述のＮＯｘ吸着触媒７４を収容可能な第四収容部３５ａを有する。第四ケーシング３５は、上流側端部に上流側開口部（不図示）を、下流側端部に下流側開口部を、それぞれ有する。
【００３３】
第四ケーシング３５の上流側開口部には、第一バイパス管要素３４の下流側端部が接続されている。第四ケーシング３５の下流側開口部には、第二バイパス管要素３６の上流側端部が接続されている。
【００３４】
第二バイパス管要素３６は、第四ケーシング３５と第五管要素３２８とを接続している。
【００３５】
第二排気通路３３を流れる排気ガスは、図１において矢印Ｂ１ａ〜矢印Ｂ４ａの順に流れる。つまり、第二排気通路３３を流れる排気ガスは、第二管要素３２２で分岐して、第五管要素３２８に合流する。排気通路において、第二排気通路３３は、第一排気通路３２０Ａと並列に設けられている。したがって、第二排気通路３３を流れる排気ガスは、酸化触媒７１、ＮＯｘ選択還元型触媒７２、およびアンモニアスリップ触媒７３を通過しない。
【００３６】
［ＮＯｘ選択還元型触媒について］
ＮＯｘ選択還元型触媒７２は、第一排気通路３２０Ａに設けられている。具体的には、ＮＯｘ選択還元型触媒７２は、第二ケーシング３２５の第二収容部３２５ａに配置されている。
【００３７】
このようなＮＯｘ選択還元型触媒７２は、たとえば、第三管要素３２４に設けられた尿素水噴射部（不図示）により噴射された尿素水に基づいて生成されたアンモニアを吸着する。
【００３８】
そして、ＮＯｘ選択還元型触媒７２は、ＮＯｘ選択還元型触媒７２の温度（ＮＯｘ選択還元型触媒７２に流入する排気ガスの温度でもある。）が活性温度のとき、吸着したアンモニアと、自身を通過する排気ガス中に含まれるＮＯｘとを反応させることで、当該ＮＯｘを還元する。活性温度は、ＮＯｘ選択還元型触媒７２が活性化領域となる温度である。
【００３９】
以上のようなＮＯｘ選択還元型触媒７２は、排気通路において、酸化触媒７１よりも下流側に配置されている。本実施形態の場合、ＮＯｘ選択還元型触媒７２と酸化触媒７１との間に、他の触媒は存在していない。
【００４０】
［ＮＯｘ吸着触媒について］
ＮＯｘ吸着触媒７４は、第二排気通路３３に設けられている。具体的には、ＮＯｘ吸着触媒７４は、第四ケーシング３５の第四収容部３５ａに配置されている。
【００４１】
このようなＮＯｘ吸着触媒７４は、ＮＯｘ吸着触媒７４の温度（ＮＯｘ吸着触媒７４に流入する排気ガスの温度でもある。）が吸着温度のとき、排気ガス中のＮＯｘを吸着する。
【００４２】
吸着温度の範囲は、上述の活性温度未満の温度を含む範囲である。すなわち、ＮＯｘ吸着触媒７４は、ＮＯｘ選択還元型触媒７２でＮＯｘを還元することができない温度において、排気ガス中のＮＯｘを吸着できる。
【００４３】
また、ＮＯｘ吸着触媒７４は、ＮＯｘ吸着触媒７４の温度が脱離温度以上である場合、ＮＯｘ吸着触媒７４に吸着されたＮＯｘを、ＮＯｘ吸着触媒７４から脱離させることができる。脱離温度は、たとえば、上述の活性温度より高い温度である。
【００４４】
以上のようなＮＯｘ吸着触媒７４は、第二排気通路３３に設けられているため、ＮＯｘ吸着触媒７４を通過する排気ガスは、第一排気通路３２０Ａに設けられた酸化触媒７１、ＮＯｘ選択還元型触媒７２、およびアンモニアスリップ触媒７３を通過しない。
【００４５】
［タービンについて］
タービン４は、過給機（タービン４以外の構成要素については不図示）の一部を構成している。タービン４は、タービンインペラ４１およびタービンシャフト４２などを有する。タービンインペラ４１およびタービンシャフト４２の一部は、タービンケーシング３２１に収容されている。
【００４６】
このようなタービン４は、過給機を構成する圧縮機に動力伝達可能な状態で接続されている。そして、タービン４は、内燃機関１から排出された排気ガスにより回転されるタービンインペラ４１の回転を、タービンシャフト４２を介して、圧縮機（不図示）のコンプレッサインペラ（不図示）に伝達する。圧縮機に流入した空気は、コンプレッサインペラの回転により圧縮される。そして、圧縮された空気は、内燃機関１の吸気管（不図示）に供給される。
【００４７】
［第一温度検出部について］
第一温度検出部６ａは、主排気通路３２において流量調整部５よりも上流側を流れる排気ガスの温度を検出する。第一温度検出部６ａは、第二管要素３２２（具体的には、第二前側管要素３２２ａ）に設けられている。第一温度検出部６ａは、検出値を、制御部８に送る。なお、第一温度検出部６ａの位置は、図示の位置に限定されない。たとえば、第一温度検出部６ａは、第一管要素３２０に設けられてもよい。
【００４８】
［流量調整部について］
流量調整部５は、第二管要素３２２に設けられている。具体的には、流量調整部５は、第二前側管要素３２２ａと第二後側管要素３２２ｂとの間に設けられている。このような流量調整部５は、制御部８の制御下で、第一排気通路３２０Ａを流れる排気ガスの流量、および、第二排気通路３３を流れる排気ガスの流量を調整可能なバルブである。
【００４９】
流量調整部５は、上流側ポート（不図示）、下流側第一ポート（不図示）、および下流側第二ポート（不図示）を有する。上流側ポートには、第二前側管要素３２２ａの下流側端部が接続されている。下流側第一ポートには、第二後側管要素３２２ｂの上流側端部が接続されている。下流側第二ポートには、第一バイパス管要素３４の上流側端部が接続されている。
【００５０】
流量調整部５は、制御部８の制御下で、第一状態、第二状態、および第三状態を取り得る。
【００５１】
流量調整部５の第一状態は、排気ガスが、流量調整部５の下流側第一ポートからのみ流出する状態である。すなわち、第一状態において、排気ガスは、流量調整部５の下流側第二ポートから流出しない。換言すれば、第一状態において、流量調整部５から流出する排気ガスは、第一排気通路３２０Ａのみを流れて、第二排気通路３３を流れない。
【００５２】
流量調整部５の第二状態は、排気ガスが、流量調整部５の下流側第二ポートからのみ流出する状態である。すなわち、第二状態において、排気ガスは、流量調整部５の下流側第一ポートから流出しない。換言すれば、流量調整部５の第二状態において、流量調整部５から流出する排気ガスは、第二排気通路３３のみを流れて、第一排気通路３２０Ａを流れない。
【００５３】
流量調整部５の第三状態は、排気ガスが、流量調整部５の下流側第一ポートおよび下流側第二ポートの両方のポートから流出する状態である。すなわち、第三状態において、流量調整部５から流出する排気ガスは、第一排気通路３２０Ａおよび第二排気通路３３を流れる。
【００５４】
なお、流量調整部５の第三状態において、第一排気通路３２０Ａを流れる排気ガスの流量（つまり、下流側第一ポートからの排気ガスの流出量）と、第二排気通路３３を流れる排気ガスの流量（つまり、下流側第二ポートからの排気ガスの流出量）との比率は、制御部８により制御される。
【００５５】
［酸化触媒について］
酸化触媒７１は、第一排気通路３２０Ａにおいて、ＮＯｘ選択還元型触媒７２よりも上流側に設けられている。具体的には、酸化触媒７１は、第一ケーシング３２３の第一収容部３２３ａに配置されている。このような酸化触媒７１は、排気ガス中の一酸化窒素（ＮＯ）などを酸化させて二酸化窒素（ＮＯ２）を生成することで、当該一酸化窒素などを分解除去する。
【００５６】
［第二温度検出部について］
第二温度検出部６ｂは、酸化触媒７１から流出した排気ガス（換言すれば、ＮＯｘ選択還元型触媒７２に流入する排気ガス）の温度を検出する。このような第二温度検出部６ｂは、第三管要素３２４に設けられている。第二温度検出部６ｂは、検出値を、制御部８に送る。
【００５７】
［アンモニアスリップ触媒について］
アンモニアスリップ触媒７３は、主排気通路３２において、ＮＯｘ選択還元型触媒７２よりも下流側に設けられている。このようなアンモニアスリップ触媒７３は、ＮＯｘ選択還元型触媒７２で使用されなかったアンモニアを分解して、アンモニアが車両Ｖ外に排出されるのを防止する。
【００５８】
［制御部について］
制御部８は、たとえば電子制御ユニットであり、図示しないＣＰＵ（Central Processing Unit）、ＲＯＭ（Read Only Memory）、ＲＡＭ（Random Access Memory）および入出力回路を備えている。制御部８は、予め設定されたプログラムに基づいて、流量調整部５を制御するように構成されている。
【００５９】
制御部８は、排気ガスの温度に応じて、流量調整部５の状態を切り換える。具体的には、制御部８は、第一温度検出部６ａから受け取った検出値（本実施形態の場合、第二管要素３２２を流れる排気ガスの温度）に基づいて、流量調整部５を、第一状態と第二状態とから選択される一つの状態とする。
【００６０】
具体的には、制御部８は、上記検出値が、ＮＯｘ選択還元型触媒７２の活性温度未満である場合に、流量調整部５を第二状態とする。換言すれば、制御部８は、上記検出値が、ＮＯｘ選択還元型触媒７２の活性温度未満である場合に、流量調整部５から流出する排気ガスが第二排気通路３３にのみ流れるように、流量調整部５を制御する。このような制御部８による制御は、バイパス制御ともいう。
【００６１】
なお、制御部８は、上記検出値が、ＮＯｘ選択還元型触媒７２の活性温度未満である場合に、流量調整部５を第三状態としてもよい。換言すれば、制御部８は、上記検出値が、ＮＯｘ選択還元型触媒７２の活性温度未満である場合に、流量調整部５から流出する排気ガスの一部が第一排気通路３２０Ａを流れ、残部が第二排気通路３３を流れるように、流量調整部５を制御してもよい。この場合に、制御部８は、第一排気通路３２０Ａを流れる排気ガスの流量と、第二排気通路３３を流れる排気ガスの流量との比率を、上記検出値に基づいて決めてもよい。
【００６２】
排気ガスの温度が活性温度未満であると、ＮＯｘ選択還元型触媒７２において十分な還元処理が行われず、ＮＯｘが大気に排出されやすくなる。このため、本実施形態では、上記検出値が活性温度未満である場合、ＮＯｘ吸着触媒７４により第二排気通路３３を流れる排気ガス中に含まれるＮＯｘを吸着する。これにより、排気ガスの温度が、ＮＯｘ選択還元型触媒７２で十分な還元処理が行われない温度の場合でも、ＮＯｘが大気に排出されることを抑制できる。
【００６３】
また、制御部８は、上記検出値がＮＯｘ選択還元型触媒７２の活性温度未満であっても、ＮＯｘ吸着触媒７４におけるＮＯｘの吸着量が最大吸着量に達した場合には、流量調整部５を第一状態としてもよい。つまり、制御部８は、上記検出値がＮＯｘ選択還元型触媒７２の活性温度未満であっても、ＮＯｘ吸着触媒７４におけるＮＯｘの吸着量が最大吸着量に達した場合には、バイパス制御を行わなくてもよい。
【００６４】
ＮＯｘ吸着触媒７４におけるＮＯｘの吸着量が最大吸着量であると、排気ガス中のＮＯｘがＮＯｘ吸着触媒７４に吸着されないので、第二排気通路３３に排気ガスを流す必要がない。上述のように制御することにより、第二排気通路３３に不要な排気ガスが流れることを抑制できる。
【００６５】
なお、ＮＯｘ吸着触媒７４におけるＮＯｘの吸着量は、たとえば、第二排気通路３３に流された排気ガスの流量や、ＮＯｘ吸着触媒７４から脱離したＮＯｘの量などに基づいて推定される。また、ＮＯｘの吸着量は、ＮＯｘ吸着触媒７４の上流側および下流側に、それぞれＮＯｘを検出するセンサを設け、各センサの検出量の差分値を用いて推定されてもよい。
【００６６】
制御部８は、第一温度検出部６ａから受け取った検出値（本実施形態の場合、第二管要素３２２を流れる排気ガスの温度）がＮＯｘ選択還元型触媒７２の活性温度以上である場合に、流量調整部５を第一状態とする。換言すれば、制御部８は、上記検出値が、ＮＯｘ選択還元型触媒７２の活性温度以上である場合に、流量調整部５から流出する排気ガスが第一排気通路３２０Ａにのみ流れるように、流量調整部５を制御する。
【００６７】
制御部８は、バイパス制御を実行している状態で、上記検出値がＮＯｘ選択還元型触媒７２の活性温度以上となった場合に、バイパス制御を終了する。
【００６８】
ＮＯｘ選択還元型触媒７２が活性温度以上であると、ＮＯｘ選択還元型触媒７２においてＮＯｘの還元処理が十分に行われるので、ＮＯｘ吸着触媒７４を用いる必要がなくなる。上述のように制御により、第二排気通路３３に不要な排気ガスが流れることを抑制ができる。
【００６９】
また、制御部８は、内燃機関１が始動してから所定時間が経過するまでの間（つまり、内燃機関１の稼働時間が所定時間未満の場合）、流量調整部５を第二状態としてもよい。換言すれば、制御部８は、内燃機関１が始動してから所定時間が経過するまでの間、流量調整部５から流出する排気ガスが第二排気通路３３にのみ流れるように、流量調整部５を制御してもよい。このような制御部８による制御も、バイパス制御と称される。
【００７０】
上記所定時間は、たとえば、内燃機関１の始動から、ＮＯｘ選択還元型触媒７２に流入する排気ガスの温度が、ＮＯｘ選択還元型触媒７２の活性温度以上の温度になるまでに要する時間である。このような所定時間は、実験またはシミュレーションにより予め求められる。このような所定時間は、制御部８のＲＯＭに記憶されている。なお、上記所定時間は、外気温および内燃機関１の停止から始動までの時間の少なくとも一方に基づいて決定されてもよい。
【００７１】
制御部８は、内燃機関１が始動してから所定時間が経過した場合（つまり、内燃機関１の稼働時間が所定時間以上の場合）に、流量調整部５を第二状態から第一状態へと切り換えてもよい。つまり、制御部８は、内燃機関１が始動してから所定時間が経過した場合に、バイパス制御を終了してもよい。
【００７２】
また、制御部８は、排気ガスの温度に基づいて流量調整部５を制御することにより、ＮＯｘ吸着触媒７４からＮＯｘを脱離させるためのＮＯｘ吸着触媒７４の再生処理（以下、単に「再生処理」という。）を行う。
【００７３】
制御部８は、ＮＯｘ吸着触媒７４におけるＮＯｘの吸着量に基づいて、再生処理を行うか否かを判定してもよい。制御部８は、排気ガスの温度、および、ＮＯｘ吸着触媒７４におけるＮＯｘの吸着量に基づいて、再生処理を行うか否かを判定してもよい。
【００７４】
具体的には、制御部８は、第一温度検出部６ａまたは第二温度検出部６ｂから受け取った検出値（以下、「再生判定温度」という。）が脱離温度以上であり、かつ、ＮＯｘ吸着触媒７４にＮＯｘが吸着されている場合、流量調整部５を第三状態とする。
【００７５】
換言すれば、制御部８は、再生判定温度が脱離温度以上であり、かつ、ＮＯｘ吸着触媒７４にＮＯｘが吸着されている場合に、流量調整部５から流出する排気ガスが、第一排気通路３２０Ａおよび第二排気通路３３を流れるように流量調整部５を制御する。
【００７６】
上述の再生処理により、ＮＯｘ吸着触媒７４に吸着されたＮＯｘをＮＯｘ吸着触媒７４から脱離させることができる。この結果、排気ガスの温度が低下した際に、再びＮＯｘ吸着触媒７４にＮＯｘを吸着させることができる。なお、ＮＯｘ吸着触媒７４から脱離したＮＯｘは、図１に示される排気浄化装置２よりも下流側に設けられた他の排気浄化装置におけるＮＯｘ選択還元型触媒（不図示）によって還元処理される。
【００７７】
また、制御部８は、再生処理を実施してから終了条件を満たした場合に、再生処理を終了し、流量調整部５を第三状態から第一状態へと切り換えてもよい。
【００７８】
具体的には、制御部８は、再生処理を実施してから所定時間が経過した場合に、再生処理を終了してもよい。また、制御部８は、ＮＯｘ吸着触媒７４のＮＯｘが脱離しきったと判定した場合に、再生処理を終了してもよい。
【００７９】
また、制御部８は、第一温度検出部６ａまたは第二温度検出部６ｂから受け取った検出値が活性温度以上で、かつ、脱離温度未満である場合には、第二排気通路３３に排気ガスが流れないように、流量調整部５を制御してもよい。このような制御を行う理由は、排気ガスの温度が脱離温度未満であれば、ＮＯｘ吸着触媒７４において再生処理は行われないからである。
【００８０】
［動作例１］
つぎに、本実施形態に係る排気浄化装置２の動作例１について説明する。図２は、排気浄化装置２において実施される浄化制御のフローチャートである。図２の制御処理は、たとえば、車両Ｖの稼働時において適宜実行される。
【００８１】
まず、図２のステップＳ１０１において、作業者は、車両Ｖの内燃機関１を始動する。内燃機関１が始動すると、第一温度検出部６ａは、排気ガスの温度の検出を開始する。また、内燃機関１が始動すると、第二温度検出部６ｂは、排気ガスの温度の検出を開始する。
【００８２】
内燃機関１の始動直後において、流量調整部５の状態は、第一状態であってよい。ただし、内燃機関１の始動直後において、流量調整部５の状態は、第二状態または第三状態であってもよい。
【００８３】
たとえば、内燃機関１の停止から始動までの時間が短い場合、内燃機関１から排出される排気ガスの温度が、ＮＯｘ選択還元型触媒７２の活性温度よりも高い場合がある。制御部８は、内燃機関１の停止から始動までの時間が所定時間未満の場合には、内燃機関１の始動直後に、流量調整部５の状態を第一状態としてもよい。
【００８４】
また、内燃機関１の停止から始動までの時間が長い場合、内燃機関１から排出される排気ガスの温度が、ＮＯｘ選択還元型触媒７２の活性温度よりも低い場合がある。制御部８は、内燃機関１の停止から始動までの時間が所定時間以上の場合には、内燃機関１の始動直後に、流量調整部５の状態を第二状態としてもよい。
【００８５】
つぎに、図２のステップＳ１０２において、制御部８は、第一温度検出部６ａの検出値（以下、「第一温度」という。）を取得する。
【００８６】
つぎに、図２のステップＳ１０３において、制御部８は、第一温度が、ＮＯｘ選択還元型触媒７２の活性温度（以下、「第一温度閾値」という。）未満であるか否かの判定を行う。
【００８７】
上記判定の結果、第一温度が、第一温度閾値未満である場合（ステップＳ１０３、ＹＥＳ）、制御処理はステップＳ１０４に遷移する。一方、上記判定の結果、第一温度が第一温度閾値以上である場合（ステップＳ１０３、ＮＯ）、制御処理はステップＳ１０６に遷移する。
【００８８】
図２のステップＳ１０４において、制御部８は、ＮＯｘ吸着触媒７４におけるＮＯｘの吸着量が最大吸着量（以下、「吸着量閾値」という。）未満であるか否かの判定を行う。
【００８９】
上記判定の結果、ＮＯｘ吸着触媒７４におけるＮＯｘの吸着量が、吸着量閾値未満である場合（ステップＳ１０４、ＹＥＳ）、制御処理はステップＳ１０５に遷移する。
【００９０】
一方、上記判定の結果、ＮＯｘ吸着触媒７４におけるＮＯｘの吸着量が、吸着量閾値未満でない場合（ステップＳ１０４、ＮＯ）、制御処理は、ステップＳ１０６に遷移する。
【００９１】
図２のステップＳ１０５において、制御部８は、流量調整部５の状態を第二状態とする。ステップＳ１０５を実行する直前において、流量調整部５の状態が第二状態である場合には、制御部８は、流量調整部５の状態を第二状態のまま維持する。
【００９２】
また、ステップＳ１０５を実行する直前において、流量調整部５の状態が第二状態以外の状態（つまり、第一状態または第三状態）である場合には、制御部８は、流量調整部５の状態を第二状態以外の状態から第二状態へと切り換える。
【００９３】
流量調整部５が第二状態になると、流量調整部５から流出する排気ガスは、第二排気通路３３のみを流れて、第一排気通路３２０Ａを流れない。そして、制御処理は、ステップＳ１０２に遷移する。
【００９４】
なお、図２のステップＳ１０５において、制御部８は、流量調整部５の状態を第三状態としてもよい。流量調整部５が第三状態になると、流量調整部５から流出する排気ガスは、一部が第一排気通路３２０Ａを流れ、残部が第二排気通路３３を流れる。第二排気通路３３を流れる排気ガス中のＮＯｘは、ＮＯｘ吸着触媒７４により吸着される。一方、第一排気通路３２０Ａを流れる排気ガスは、ＮＯｘ選択還元型触媒７２の昇温に寄与する。第一排気通路３２０Ａを流れる排気ガス中のＮＯｘは、図１に示される排気浄化装置２よりも下流側に設けられた他の排気浄化装置により浄化処理されてもよい。
【００９５】
図２のステップＳ１０６において、制御部８は、流量調整部５の状態を第一状態とする。ステップＳ１０６を実行する直前において、流量調整部５の状態が第一状態である場合には、制御部８は、流量調整部５の状態を第一状態のまま維持する。
【００９６】
また、ステップＳ１０６を実行する直前において、流量調整部５の状態が第一状態以外の状態（つまり、第二状態または第三状態）である場合には、制御部８は、流量調整部５の状態を第一状態以外の状態から第一状態へと切り換える。
【００９７】
流量調整部５が第一状態になると、流量調整部５から流出する排気ガスは、第一排気通路３２０Ａのみを流れて、第二排気通路３３を流れない。そして、制御処理は、ステップＳ１０７に遷移する。
【００９８】
図２のステップＳ１０７において、制御部８は、再生判定温度を取得する。再生判定温度は、第一温度検出部６ａの検出値（第一温度）、または、第二温度検出部６ｂの検出値（以下、「第二温度」という。）である。そして、制御処理は、ステップＳ１０８に遷移する。
【００９９】
図２のステップＳ１０８において、制御部８は、再生判定温度が、ＮＯｘ吸着触媒７４の脱離温度（以下、「第二温度閾値」という。）以上であるか否かの判定を行う。
【０１００】
上記判定の結果、再生判定温度が、第二温度閾値以上である場合（ステップＳ１０８、ＹＥＳ）、制御処理はステップＳ１０９に遷移する。一方、上記判定の結果、再生判定温度が、第二温度閾値以上でない場合（ステップＳ１０８、ＮＯ）、制御処理は、ステップＳ１０７に遷移する。
【０１０１】
図２のステップＳ１０９において、制御部８は、ＮＯｘ吸着触媒７４にＮＯｘが吸着されているか否かの判定を行う。
【０１０２】
上記判定の結果、ＮＯｘ吸着触媒７４にＮＯｘが吸着されている場合（ステップＳ１０９、ＹＥＳ）、制御処理はステップＳ１１０に遷移する。一方、上記判定の結果、ＮＯｘ吸着触媒７４にＮＯｘが吸着されていない場合（ステップＳ１０９、ＮＯ）、制御処理は終了する。
【０１０３】
図２のステップＳ１１０において、制御部８は、流量調整部５の状態を第三状態とする。流量調整部５の第三状態において、流量調整部５から流出する排気ガスは、一部が第一排気通路３２０Ａを流れ、残部が第二排気通路３３を流れる。
【０１０４】
第二温度閾値以上の温度を有する排気ガスがＮＯｘ吸着触媒７４に流入すると、ＮＯｘ吸着触媒７４に吸着されたＮＯｘが、ＮＯｘ吸着触媒７４から脱離する。これによりＮＯｘ吸着触媒７４の再生処理が行われる。
【０１０５】
ＮＯｘ吸着触媒７４から脱離したＮＯｘは、図１に示される排気浄化装置２よりも下流側に設けられた他の排気浄化装置におけるＮＯｘ選択還元型触媒（不図示）によって還元処理される。そして、制御処理は、ステップＳ１１１に遷移する。
【０１０６】
図２のステップＳ１１１において、制御部８は、再生処理の終了条件を満たすか否かの判定を行う。なお、終了条件は、たとえば、再生処理の処理時間が、所定時間を経過した場合に満たされる。
【０１０７】
上記判定の結果、終了条件を満たす場合（ステップＳ１１１、ＹＥＳ）、制御処理は、ステップＳ１１２に遷移する。一方、上記判定の結果、終了条件を満たさない場合（ステップＳ１１１、ＮＯ）、制御処理は、ステップＳ１１１を繰り返す。
【０１０８】
図２のステップＳ１１２において、制御部８は、流量調整部５の状態を、第三状態から第一状態に切り換える。そして、制御処理は、終了する。
【０１０９】
［動作例２について］
つぎに、本実施形態に係る排気浄化装置２の動作例２について説明する。図３は、排気浄化装置２において実施される浄化制御のフローチャートである。図３の制御処理は、たとえば、車両Ｖの稼働時において適宜実行される。
【０１１０】
まず、図３のステップＳ２０１において、作業者は、車両Ｖの内燃機関１を始動する。内燃機関１が始動すると、第一温度検出部６ａは、排気ガスの温度の検出を開始する。また、内燃機関１が始動すると、第二温度検出部６ｂは、排気ガスの温度の検出を開始する。
【０１１１】
つぎに、図３のステップＳ２０２において、制御部８は、ＮＯｘ吸着触媒７４におけるＮＯｘの吸着量が最大吸着量（以下、「吸着量閾値」という。）未満であるか否かの判定を行う。
【０１１２】
上記判定の結果、ＮＯｘ吸着触媒７４におけるＮＯｘの吸着量が、吸着量閾値未満である場合（ステップＳ２０２、ＹＥＳ）、制御処理はステップＳ２０３に遷移する。
【０１１３】
一方、上記判定の結果、ＮＯｘ吸着触媒７４におけるＮＯｘの吸着量が、吸着量閾値未満でない場合（ステップＳ２０２、ＮＯ）、制御処理は、ステップＳ２０５に遷移する。
【０１１４】
図３のステップＳ２０３において、制御部８は、流量調整部５の状態を第二状態とする。流量調整部５が第二状態になると、流量調整部５から流出する排気ガスは、第二排気通路３３のみを流れて、第一排気通路３２０Ａを流れない。そして、制御処理は、ステップＳ２０４に遷移する。
【０１１５】
つぎに、図３のステップＳ２０４において、制御部８は、内燃機関１を始動してからの稼働時間が、所定時間（以下、「第一時間閾値」という。）未満であるか否かの判定を行う。
【０１１６】
上記判定の結果、上記稼働時間が第一時間閾値未満である場合（ステップＳ２０４、ＹＥＳ）、制御処理は、ステップＳ２０４を繰り返す。一方、上記判定の結果、上記稼働時間が第一時間閾値未満でない場合（ステップＳ２０４、ＮＯ）、制御処理は、ステップＳ２０５に遷移する。
【０１１７】
図３のステップＳ２０５〜ステップＳ２１１の制御処理は、図２のステップＳ１０６〜ステップＳ１１２の制御処理と同様である。
【０１１８】
［本実施形態の作用・効果について］
上述の本実施形態によれば、ＮＯｘ選択還元型触媒７２が非活性化領域となる低温時にも、排気ガスに含まれるＮＯｘの量を低減できる。すなわち、本実施形態の場合、ＮＯｘ選択還元型触媒７２が被活性化領域となる低温時に、排気ガスを第二排気通路３３に流すようにしている。第二排気通路３３を流れた排気ガスは、ＮＯｘ吸着触媒７４により吸着される。このため、ＮＯｘ選択還元型触媒７２においてＮＯｘが還元されない状況でも、排気ガス中のＮＯｘの量を低減できる。
【０１１９】
［実施形態２］
つぎに、本開示の実施形態２について、図４を参照して詳細に説明する。図４は、実施形態１に係る排気浄化装置２Ｂが適用された内燃機関１の排気系を示す概略構成図である。
【０１２０】
本実施形態の場合、流量調整部５の位置、および、第二排気通路３３Ｂの上流側端部の位置などが、上述の実施形態１と異なる。以下、本実施形態の排気浄化装置２Ｂについて、上述の実施形態１と異なる部分を中心に説明する。
【０１２１】
本実施形態の場合も、排気浄化装置２Ｂは、図４に示されるように、排気通路３１Ｂ、ＮＯｘ選択還元型触媒７２、ＮＯｘ吸着触媒７４、および制御部８Ｂを備える。また、排気浄化装置２Ｂは、図４に示されるように、タービン４、流量調整部５、第一温度検出部６ａ、酸化触媒７１、およびアンモニアスリップ触媒７３などを備えてもよい。
【０１２２】
［排気通路について］
排気通路３１Ｂは、主排気通路３２Ｂおよび第二排気通路３３Ｂを有する。
【０１２３】
主排気通路３２Ｂは、排気方向の上流側から順に、第一管要素３２０、タービンケーシング３２１、第二管要素３２２Ｂ、第一ケーシング３２３、第三管要素３２４Ｂ、第二ケーシング３２５、第四管要素３２６、第三ケーシング３２７、および第五管要素３２８を有する。
【０１２４】
本実施形態の場合、第二管要素３２２Ｂは、上述の実施形態１の第二管要素３２２のように分割されていない。
【０１２５】
第三管要素３２４Ｂは、第一ケーシング３２３と第二ケーシング３２５とを接続している。このような第三管要素３２４Ｂは、上流側から順に第三前側管要素３２４ａおよび第三後側管要素３２４ｂを有する。第三前側管要素３２４ａと第三後側管要素３２４ｂとの間には、流量調整部５が設けられている。
【０１２６】
第三前側管要素３２４ａは、第一ケーシング３２３と流量調整部５とを接続している。第三後側管要素３２４ｂは、流量調整部５と第二ケーシング３２５とを接続している。
【０１２７】
本実施形態の場合、第三管要素３２４Ｂ（具体的には、第三前側管要素３２４ａ）、第二ケーシング３２５、第四管要素３２６、および第三ケーシング３２７は、第一排気通路３２０Ｂを構成している。また、第一管要素３２０、タービンケーシング３２１、第二管要素３２２Ｂ、第一ケーシング３２３、および第三前側管要素３２４ａは、前側共通排気通路を構成している。
【０１２８】
また、第二排気通路３３Ｂは、第一バイパス管要素３４Ｂ、第四ケーシング３５、および第二バイパス管要素３６を有する。第四ケーシング３５および第二バイパス管要素３６は、上述の実施形態１と同様である。
【０１２９】
第一バイパス管要素３４Ｂは、流量調整部５と、第四ケーシング３５とを接続している。すなわち、第二排気通路３３Ｂは、第三管要素３２４Ｂから分岐している。
【０１３０】
［第一温度検出部について］
本実施形態の場合も、第一温度検出部６ａは、主排気通路３２Ｂにおいて流量調整部５よりも上流側を流れる排気ガスの温度を検出する。具体的には、第一温度検出部６ａは、第三前側管要素３２４ａに設けられている。なお、第一温度検出部６ａの位置は、図示の位置に限定されない。たとえば、第一温度検出部６ａは、第一管要素３２０または第二管要素３２２Ｂに設けられてもよい。
【０１３１】
［制御部について］
制御部８Ｂは、上述した実施形態１の制御部８が備える機能を有する。また、制御部８Ｂは、第一温度検出部６ａから受け取った検出値（本実施形態の場合、第三前側管要素３２４ａを流れる排気ガスの温度）が、ＮＯｘ選択還元型触媒７２の活性温度未満であり、かつ、ＮＯｘ吸着触媒７４におけるＮＯｘの吸着量が最大吸着量に達している場合に、ＮＯｘ吸着触媒７４において後述の強制再生処理を行うことができる。
【０１３２】
以下、図５および図６を参照しつつ、制御部８Ｂが行う強制再生処理について説明する。強制再生処理とは、酸化触媒７１から流出する排気ガスの温度を、ＮＯｘ吸着触媒７４の脱離温度（第二温度閾値ともいう。）以上に昇温させ、ＮＯｘ吸着触媒７４に吸着されたＮＯｘを離脱させる処理である。
【０１３３】
図５は、本実施形態の排気浄化装置２Ｂにおける浄化制御の動作例を示すフローチャートである。図６は、本実施形態の排気浄化装置２Ｂにおける強制再生処理を説明するためのフローチャートである。
【０１３４】
図５におけるステップＳ３０１〜ステップＳ３０３は、図２におけるステップＳ１０１〜ステップＳ１０３と同様である。
【０１３５】
図５のステップＳ３０４において、制御部８Ｂは、ＮＯｘ吸着触媒７４におけるＮＯｘの吸着量が最大吸着量（以下、「吸着量閾値」という。）未満であるか否かの判定を行う。
【０１３６】
上記判定の結果、ＮＯｘ吸着触媒７４におけるＮＯｘの吸着量が、吸着量閾値未満である場合（ステップＳ３０４、ＹＥＳ）、制御処理はステップＳ３０５に遷移する。
【０１３７】
一方、上記判定の結果、ＮＯｘ吸着触媒７４におけるＮＯｘの吸着量が、吸着量閾値未満でない場合（ステップＳ３０４、ＮＯ）、制御処理は、ステップＳ４００に遷移する。なお、図５のステップＳ３０５〜ステップＳ３１２は、図２におけるステップＳ１０５〜ステップＳ１１２と同様である。以下、図５のステップＳ４００で行う強制再生処理について、図６を参照して説明する。
【０１３８】
図６のステップＳ４０１において、制御部８Ｂは、酸化触媒７１に流入する排気ガス（本実施形態の場合、第二管要素３２２Ｂを流れる排気ガス）に対して、炭化水素（ＨＣ）を噴射するように、第二管要素３２２Ｂに設けられた燃料噴射装置（不図示）を制御する。そして、制御処理は、ステップＳ４０２に遷移する。
【０１３９】
なお、図６のステップＳ４０１で行われる制御は、昇温制御と称される。酸化触媒７１に流入する排気ガスに噴射された炭化水素（ＨＣ）は、酸化触媒７１において酸化する。そして、この酸化に伴なう発熱により、酸化触媒７１を通過する排気ガスの温度が上昇する。酸化触媒７１は、昇温部とも称される。
【０１４０】
図６のステップＳ４０２において、制御部８Ｂは、第一温度検出部６ａの検出値（本実施形態の場合、第三前側管要素３２４ａを流れる排気ガスの温度）を取得する。そして、制御処理は、ステップＳ４０３に遷移する。
【０１４１】
図６のステップＳ４０３において、制御部８Ｂは、上記検出値が、ＮＯｘ吸着触媒７４の脱離温度（第二温度閾値ともいう。）以上であるか否かの判定を行う。
【０１４２】
上記判定の結果、上記検出値が、第二温度閾値以上である場合（ステップＳ４０３、ＹＥＳ）、制御処理は、図６のステップＳ４０４に遷移する。
【０１４３】
図６のステップＳ４０４において、制御部８は、流量調整部５を第三状態とする。流量調整部５の第三状態において、排気ガスは、流量調整部５から第二排気通路３３に流入する。この結果、ＮＯｘ吸着触媒７４に吸着されたＮＯｘが、ＮＯｘ吸着触媒７４から脱離する。そして、強制再生処理は、終了する。その後、制御処理は、図５のステップＳ３０２に遷移する。
【０１４４】
一方、上記判定の結果、上記検出値が、第二温度閾値以上でない場合（ステップＳ４０３、ＮＯ）、制御処理は、ステップＳ４０１に遷移する。
【０１４５】
［作用・効果について］
上述のような本実施形態の排気浄化装置２Ｂの場合、上述の強制再生処理を行うことにより、第一温度検出部６ａから受け取った検出値が、ＮＯｘ選択還元型触媒７２の活性温度未満である状態において、ＮＯｘ選択還元型触媒７２でＮＯｘを吸着できない状態を解消できる。その他の構成および作用・効果は上述の実施形態１と同様である。
【０１４６】
［実施形態３］
つぎに、本開示の実施形態３について、図７を参照して詳細に説明する。図７は、実施形態３に係る排気浄化装置２Ｃが適用された内燃機関１の排気系を示す概略構成図である。
【０１４７】
本実施形態の場合、排気通路３１Ｃは、第一管要素３２０、タービンケーシング３２１、第二管要素３２２Ｃ、第三管要素３２４Ｃ、第四管要素３２６Ｃ、第一ケーシング３２３Ｃ、第五管要素３２８Ｃ、第六管要素３２９、および第七管要素３２９ｘを有する。
【０１４８】
第一管要素３２０およびタービンケーシング３２１は、上述の実施形態１とほぼ同様である。
【０１４９】
第二管要素３２２Ｃと、第三管要素３２４Ｃおよび第四管要素３２６Ｃとの間に、流量調整部５が設けられている。流量調整部５は、制御部８の制御下で、第三管要素３２４Ｃに向けて流出する排気ガスの流量と、第四管要素３２６Ｃに向けて流出する排気ガスの流量とを調整可能なバルブである。
【０１５０】
第三管要素３２４Ｃは、流量調整部５と、後述の第一ケーシング３２３Ｃの第一分割室３２３ｂとを接続している。
【０１５１】
第四管要素３２６Ｃは、流量調整部５と、後述の第一ケーシング３２３Ｃの第二分割室３２３ｃとを接続している。
【０１５２】
第一ケーシング３２３Ｃは、内部空間が、第一分割室３２３ｂと第二分割室３２３ｃとに区切られている。排気ガスは、第一分割室３２３ｂと第二分割室３２３ｃとの間を流通できない。
【０１５３】
第一分割室３２３ｂは、上流側第一開口部（不図示）および下流側第一開口部（不図示）を有する。上流側第一開口部には、第三管要素３２４Ｃの下流側端部が接続されている。下流側第一開口部には、第五管要素３２８Ｃの上流側端部が接続されている。本実施形態の場合、第三管要素３２４Ｃ、第一分割室３２３ｂ、および第五管要素３２８Ｃが、主排気通路３２Ｃを構成する。
【０１５４】
このような第一分割室３２３ｂには、上流側から順に、酸化触媒７１、ＮＯｘ選択還元型触媒７２、およびアンモニアスリップ触媒７３が配置されている。
【０１５５】
第二分割室３２３ｃは、上流側第二開口部（不図示）および下流側第二開口部（不図示）を有する。上流側第二開口部には、第四管要素３２６Ｃの下流側端部が接続されている。下流側第二開口部には、第六管要素３２９の上流側端部が接続されている。このような第二分割室３２３ｃには、ＮＯｘ吸着触媒７４が配置されている。
【０１５６】
第五管要素３２８Ｃは、第一ケーシング３２３Ｃの第一分割室３２３ｂと、第七管要素３２９ｘとを接続している。
【０１５７】
第六管要素３２９は、第一ケーシング３２３Ｃの第二分割室３２３ｃと、第七管要素３２９ｘとを接続している。すなわち、第五管要素３２８Ｃの下流側端部と第六管要素３２９の下流側端部とは、第七管要素３２９ｘで合流する。
【０１５８】
以上のような排気通路３１Ｃにおいて、第三管要素３２４Ｃ、第一ケーシング３２３Ｃの第一分割室３２３ｂ、および第五管要素３２８Ｃは、第一排気通路３２０Ｃを構成している。また、第四管要素３２６Ｃ、第一ケーシング３２３Ｃの第二分割室３２３ｃ、および第六管要素３２９は、第二排気通路３３Ｃを構成している。第一排気通路３２０Ｃと第二排気通路３３Ｃとは、並列に設けられている。
【０１５９】
なお、本実施形態の排気浄化装置２Ｃを実施する場合、第一分割室３２３ｂには、少なくともＮＯｘ選択還元型触媒７２が配置されていればよい。すなわち、酸化触媒７１およびアンモニアスリップ触媒７３は、第一ケーシング３２３Ｃの外側に配置されていてもよい。
【０１６０】
具体的には、酸化触媒７１は、図７において、タービンケーシング３２１と流量調整部５との間に設けられてもよい。また、アンモニアスリップ触媒７３は、図７において、第五管要素３２８Ｃまたは第七管要素３２９ｘに設けられてもよい。その他の構成および作用・効果は、上述の実施形態１と同様である。また、排気浄化装置２Ｃの動作についても、上述の実施形態１とほぼ同様である。
【０１６１】
以上のような本実施形態の場合、ＮＯｘ選択還元型触媒７２とＮＯｘ吸着触媒７４とが、ひとつの第一ケーシング３２３Ｃに収容されている。このような構成は、排気浄化装置２Ｃのレイアウト性の向上に寄与する。
【０１６２】
［付記］
上述の各実施形態では、第一温度検出部６ａおよび第二温度検出部６ｂによって排気ガスの温度を検出していたが、本開示はこれに限定されず、たとえば、内燃機関１にかかる負荷に基づいて温度を推定するようにしても良い。
【０１６３】
また、上述の各実施形態における排気浄化装置は、ディーゼルエンジンを搭載した車両Ｖに適用されているが、本開示はこれに限定されず、たとえば、排気浄化装置は、ガソリンエンジンを搭載した車両に搭載されてもよい。
【０１６４】
その他、上述の各実施形態は、何れも本開示を実施するにあたっての具体化の一例を示したものに過ぎず、これらによって本開示の技術的範囲が限定的に解釈されてはならないものである。すなわち、本開示はその要旨、またはその主要な特徴から逸脱することなく、様々な形で実施することができる。
【産業上の利用可能性】
【０１６５】
本開示の排気浄化装置は、バイパス経路部のＮＯｘ吸着触媒からＮＯｘを確実に脱離させることが可能な排気浄化装置および車両として有用である。
【符号の説明】
【０１６６】
１  内燃機関
１ａ  排気マニホルド
２、２Ｂ、２Ｃ  排気浄化装置
３１、３１Ｂ、３１Ｃ  排気通路
３２、３２Ｂ、３２Ｃ  主排気通路  
３２０  第一管要素
３２１  タービンケーシング
３２２、３２２Ｂ、３２２Ｃ  第二管要素
３２２ａ  第二前側管要素
３２２ｂ  第二後側管要素
３２３、３２３Ｃ  第一ケーシング
３２３ａ  第一収容部
３２３ｂ  第一分割室
３２３ｃ  第二分割室
３２４、３２４Ｂ、３２４Ｃ  第三管要素
３２４ａ  第三前側管要素
３２４ｂ  第三後側管要素
３２５  第二ケーシング
３２５ａ  第二収容部
３２６、３２６Ｃ  第四管要素
３２７  第三ケーシング
３２７ａ  第三収容部
３２８、３２８Ｃ  第五管要素
３２９  第六管要素
３２９ｘ  第七管要素
３２０Ａ、３２０Ｂ、３２０Ｃ  第一排気通路
３３、３３Ｂ、３３Ｃ  第二排気通路
３４、３４Ｂ  第一バイパス管要素
３５  第四ケーシング
３５ａ  第四収容部
３６  第二バイパス管要素
４  タービン
４１  タービンインペラ
４２  タービンシャフト
５  流量調整部
６ａ  第一温度検出部
６ｂ  第二温度検出部
７１  酸化触媒
７２  ＮＯｘ選択還元型触媒
７３  アンモニアスリップ触媒
７４  ＮＯｘ吸着触媒
８、８Ｂ  制御部
Ｖ  車両
【図１】
2019190419.tif 000003
【図２】
2019190419.tif 000004
【図３】
2019190419.tif 000005
【図４】
2019190419.tif 000006
【図５】
2019190419.tif 000007
【図６】
2019190419.tif 000008
【図７】
2019190419.tif 000009